(57)【特許請求の範囲】
【請求項１】
レンズ鏡筒をカメラ本体に結合可能にするためのマウントと、前記レンズ鏡筒を光軸方向に付勢する分割された複数のばね部材とを有し、前記マウントを合成樹脂材により形成したカメラにおいて、
前記ばね部材の両端に曲げ部を設けるとともに、前記ばね部材のそれぞれの曲げ部を係合させる溝部をカメラ本体に設けたことを特徴とするカメラのレンズマウント装置。
【請求項２】
請求項１記載のカメラのレンズマウント装置において、
前記ばね部材のそれぞれの曲げ部を係合させる溝部は長さが異なり、該ばね部材を載せるくぼみの両端にそれぞれ設けられていることを特徴とするカメラのレンズマウント装置。
【発明の詳細な説明】
【０００１】
【発明の属する技術分野】
本発明はレンズ鏡筒が着脱可能なレンズ交換式のカメラに関し、特に交換レンズをカメラ本体に着脱可能に装着するレンズマウント装置に関する。
【０００２】
【従来の技術】
従来この種の交換レンズ式のカメラでは、交換レンズとカメラ本体を、それぞれのバヨネットマウントのようなばね付き着脱式のレンズマウントによって着脱自在に接合できる構造を採っている。
このような交換レンズ式のカメラでは、レンズ鏡筒をカメラ本体に対して所定角度宛、回動させて着脱するようになっている。この接合時において、交換レンズ側の電気装置と、カメラ本体側の電気装置とを電気的に接続するために、交換レンズ装着完了時に使用可能となる複数個の電気的接続端子群をレンズマウント接合面に設けている。
【０００３】
従来のカメラにおいて、レンズマウントは金属材を切削加工することにより形成していた。また、このようなレンズマウントに付設されるマウントばねは円周状に一体に形成したリング状のばね部によって形成していた。
【０００４】
図５および図６は従来のレンズマウント装置を示すものであり、これらの図において、符号１は金属材からなるレンズマウント、２は円周状に一体のリング状マウントばね、３はカメラ本体である。このカメラ本体３には、これらのレンズマウント１、マウントばね２がビス４で組付け固定するマウント取付座３ｂが設けられている。
【０００５】
図中２ａはマウントばね２の周方向の複数箇所（三箇所）に設けたばね部で、図示しないレンズ鏡筒側の爪部を押圧することにより、レンズ鏡筒の装着後にカメラ本体３側のマウントとレンズ鏡筒との間にがたが生じないようにするためのものである。
これらのばね部２ａ以外の部分は、このばね２の接続と位置決めのための部分であり、ビス４に対応する部分には切欠き溝２ｂが形成されている。
【０００６】
このような構造では、カメラ本体３とマウント１との間にマウントばね２を挟み込み、マウント１をビス４で前記マウント取付座３ｂのビス止め部に取付けることで組付けられる。このとき、マウントばね２のばね部２ａは、前記ビス止め部に螺合されるビス４が係合する切欠き溝２ｂによって位置決めされ、レンズ鏡筒を着脱しても所定の位置から外れないようになっている。
【０００７】
また、前記カメラ本体３には、マウントばね２のばね部２ａに対応するくぼみ３ａが三箇所に設けられている。組立時には、これらのくぼみ３ａにばね部２ａを位置決めしてマウントばね２をマウント取付座３ｂ上に載せ、その上にマウント１を載せてビス４を締め付けることにより固定する。
【０００８】
このような従来の構造では、マウントばね２がリング状に形成されているため、図５に示すように、マウント１とカメラ本体３との間にはばね２を介挿するためのスペースが設けられている。このときのマウント１の肉厚はＬ１である（図６参照）。
【０００９】
【発明が解決しようとする課題】
しかし、上述したようにレンズマウント１を金属材で形成すると加工が面倒であり、そのために部品のコストが高くなっている。そこで、このようなレンズマウントを合成樹脂材でモールド成形することも考えられているが、金属製のマウント１を単に合成樹脂材で置き換えただけでは強度が弱いという問題がある。
【００１０】
このため、マウント１を合成樹脂材で形成するには、肉厚を金属材のものよりも厚くする必要がある。しかし、このようにマウントの肉厚を厚くすると、マウントばねを円周状に一体のリング形状で形成することができなくなる。また、このようなマウントばねを分割すると、それぞれのマウントばねの位置を正確に位置決めすることができないという問題が起きる。
【００１１】
本発明はこのような事情に鑑みてなされたものであり、レンズマウントを合成樹脂材で形成し肉厚を厚くしても、従来のレンズマウントとしての機能を確保するとともに、組立性も同等にすることができるカメラのレンズマウント装置を得ることを目的とする。
【００１２】
【課題を解決するための手段】
上記目的を達成するために本発明に係るカメラのレンズマウント装置は、レンズ鏡筒をカメラ本体に結合可能にするためのマウントと、前記レンズ鏡筒を光軸方向に付勢する分割された複数のばね部材とを有し、前記マウントを合成樹脂材により形成するにあたって、前記ばね部材の両端に曲げ部を設けるとともに、前記ばね部材のそれぞれの曲げ部を係合させる溝部をカメラ本体に設けたものである。
【００１３】
また、本発明に係るカメラのレンズマウント装置は、前記ばね部材のそれぞれの曲げ部を係合させる溝部は長さが異なり、該ばね部材を載せるくぼみの両端にそれぞれ設けられているものである。
【００１４】
本発明によれば、マウントばねを複数に分割して構成し、これらのマウントばねを固定するための制限手段となる曲げ部を設け、これに対応する位置決め用の溝部をカメラ本体に設け、これらの溝部にばねの曲げ部を係合させることで、それぞれのマウントばねの位置を規制するようにしているから、レンズマウントを金属材から合成樹脂材に代えて形成することができ、また組立性を低下させることがなく、コストダウンと軽量化を図ることができる。
【００１５】
【発明の実施の形態】
図１ないし図４は本発明に係るカメラのレンズマウント装置の一つの実施の形態を示すものであり、これらの図において、前述した図５および図６と同一または相当する部分には同一番号を付して詳細な説明は適宜省略する。
【００１６】
本実施の形態によれば、前述した構成による従来のレンズマウント装置において、図１ないし図３に示すように、マウントばね２を三分割して構成し、さらにカメラ本体３に対する位置決めを行うための規制手段として、各ばね２の両端に曲げ部２ｃ，２ｄを設け、これらに対応してカメラ本体３側には溝部３ｃ，３ｄを設けている。これらの溝部３ｃ，３ｄに曲げ部２ｃ，２ｄを係入させると、各ばね２を、図１および図３に示すようにカメラ本体３に対し所要の位置に位置決めされ動きが規制された状態で付設することができる。
【００１７】
このように上述した曲げ部２ｃ，２ｄは、これを溝部３ｃ，３ｄに係合させることにより、ばね２がカメラ本体３の所定の位置から光軸方向と直交する方向に移動することを制限することができるように構成されている。
【００１８】
このような構成によれば、図４に示すように、マウント１とカメラ本体３との間に、ばね２を介装させる取付け空間が不要となり、マウント１の肉厚をＬ２で示すように厚くすることができる。したがって、このようなマウント１を金属材に代えて合成樹脂材によるモールド成形によって形成しても、金属材によるものと同等の強度を確保することができる。
【００１９】
上述した構成によるマウント装置の組立ては、次の通りである。すなわち、カメラ本体３のそれぞれのくぼみ３ａ部分に各マウントばね２（ばね部２ａ）を載せ、それぞれの曲げ部２ｃ，２ｄを溝部３ｃ，３ｄに係合させておく。そして、これらのばね２の上側にマウント１を載せ、このマウント１を前記カメラ本体３にビス４で固定するとよい。
勿論、これに限らず、上述したそれぞれのマウントばね２のばね部２ａ以外の部分を、マウント１の裏面側に予め付着させ、このマウント１とばね２とからなるアッセンブリをカメラ本体３に取付けることもできる。このときにも、それぞれの曲げ部２ｃ，２ｄを溝部３ｃ，３ｄに係合させることにより、各ばね２の組付け位置を正しく位置決めし組付け状態を確保できる。したがって各ばね２は、ばね部２ａのばね作用による外れといった不具合はなくなり、それぞれのばね２が所定の位置から動いてずれたり外れたりすることはない。
【００２０】
また、カメラ本体３に設けた一方の溝部３ｄは、図３に示すように、レンズ鏡筒が装着されたときのばね部２ａの円周方向での伸びる分を考慮し、他方の溝３ｃの円周方向における長さよりも長さを長くしている。このようなレンズ装着時のばね２の変形による逃げがないと、従来に比べて大きな荷重が発生し、レンズ鏡筒の着脱トルクが規格よりも高くなったり、ばね２に疲労を生じるおそれがあるが、上述した構成を採ることにより、このような問題を解消することができる。
【００２１】
なお、本発明は上述した実施の形態で説明した構造には限定されず、カメラ本体３を始めとする各部の形状、構造等を適宜変形、変更し得ることはいうまでもない。
【００２２】
【発明の効果】
以上説明したように本発明に係るカメラのレンズマウント装置によれば、レンズ鏡筒をカメラ本体に結合可能に構成するためのマウントと、前記レンズ鏡筒を光軸方向に付勢する分割された複数のばね部材とを有し、マウントを合成樹脂材により形成するにあたって、ばね部材がカメラ本体の所定の位置から光軸方向と直交する方向に移動することを制限する制限手段を有するように構成したので、以下に述べる優れた効果を奏する。
【００２３】
すなわち、本発明によれば、ばね部材の両端に制限手段として曲げ部を設けるとともに、カメラ本体に前記ばね部材の曲げ部を収納係合させる位置決め用の溝部を設けたから、マウントばねを複数に分割して構成し、それぞれのマウントばねのカメラ本体への組付け位置を位置決めして規制することができる。したがって、レンズマウントを金属材から合成樹脂材に代えて形成しても、肉厚を確保することで強度を十分とすることができ、また組立性を低下させることがなく、コストダウンと軽量化を図ることができる。
【図面の簡単な説明】
【図１】  本発明に係るカメラのレンズマウント装置の一つの実施の形態を示し、カメラ本体にマウントばねを付設したときの正面図である。
【図２】  図１に示すマウントばねを示す斜視図である。
【図３】  図１にレンズマウントを組付けたときのマウントばね装着部を示す断面図である。
【図４】  図１にレンズマウントを組付けたときのマウントばね装着部以外の部分を示す断面図である。
【図５】  従来のカメラにおけるレンズマウント装置を説明するための分解斜視図である。
【図６】  図５のVI−VI線断面図である。
【符号の説明】
１…レンズマウント、２…マウントばね、２ａ…ばね部、２ｃ，２ｄ…曲げ部（制限手段）、３…カメラ本体、３ａ…くぼみ、３ｃ，３ｄ…位置決め用の溝部、４…ビス。
【図１】
0003852149.tif 000002
【図２】
0003852149.tif 000003
【図３】
0003852149.tif 000004
【図４】
0003852149.tif 000005
【図６】
0003852149.tif 000006
【図５】
0003852149.tif 000007